(57)【要約】      （修正有）【課題】別体として供給されるカードの両面をラミネートするに好適なラミネート用紙を提供する。【解決手段】両面ラミネートカード作成用のラミネート用紙１１であって、台紙１２の上に擬似接着によりラミネートフィルム１４が積層され、ラミネートフィルム１４の上に粘着剤層１５を介して剥離紙１６が積層された積層用紙に、積層用紙の台紙１２、ラミネートフィルム１４及び剥離紙１６を貫通する破線状の直線である折り曲げ線２０と、剥離紙１６上面からラミネートフィルム１４下面まで切り込まれた第１切り込み線２１に囲まれたカード表面ラミネート領域２３と、剥離紙１６上面からラミネートフィルム１４下面まで切り込まれた第２切り込み線２２に囲まれたカード裏面ラミネート領域２４を有し、カード表面ラミネート領域２３とカード裏面ラミネート領域２４は、折り曲げ線２０を対称軸とする線対称な平面形状である。【選択図】図１
0003116666.tif 000002
【実用新案登録請求の範囲】
【請求項１】
両面ラミネートカード作成用のラミネート用紙において、
台紙の上に仮着手段によりラミネートフィルムが積層され、前記ラミネートフィルムの上に粘着剤層を介して剥離紙が積層された積層用紙に、
前記積層用紙の前記台紙、前記ラミネートフィルム及び前記剥離紙を貫通する破線状の直線である折り曲げ線と、前記剥離紙上面から前記ラミネートフィルム下面まで切り込まれた第１切り込み線に囲まれたカード表面ラミネート領域と、前記剥離紙上面から前記ラミネートフィルム下面まで切り込まれた第２切り込み線に囲まれたカード裏面ラミネート領域を有し、
前記カード表面ラミネート領域と前記カード裏面ラミネート領域は、前記折り曲げ線を対称軸とする線対称な平面形状であることを特徴とするラミネート用紙。
【請求項２】
請求項１に記載したラミネート用紙において、
前記台紙と前記ラミネートフィルムの仮着手段が、擬似接着であることを特徴とする請求項１に記載したラミネート用紙。
【請求項３】
請求項１又は２いずれかに記載したラミネート用紙において、
前記ラミネート用紙がＡ６版サイズ以上、Ａ４版サイズ以下であることを特徴とする請求項１又は２いずれかに記載したラミネート用紙。
【請求項４】
ラミネート用紙とＲＦＩＤカードからなる一対の両面ラミネートＲＦＩＤカード作成用具において、
前記ラミネート用紙は、請求項１乃至３いずれか記載のラミネート用紙であり、
前記ＲＦＩＤカードはカード台紙とＲＦＩＤのインレイからなり、
前記カード台紙の表面はインク受容可能であり、前記カード台紙の裏面に前記ＲＦＩＤのインレイが貼り付けられていて、前記ＲＦＩＤカードは前記カード表面ラミネート領域に包含される大きさであることを特徴とする一対の両面ラミネートＲＦＩＤカード作成用具。
【請求項５】
請求項４に記載した一対の両面ラミネートＲＦＩＤカード作成用具において、
前記ＲＦＩＤカードは前記ラミネート用紙の前記カード表面ラミネート領域と同一の大きさであることを特徴とする請求項４に記載した一対の両面ラミネートＲＦＩＤカード作成用具。
【考案の詳細な説明】
【技術分野】
【０００１】
本考案は、ラミネートカードを作成するためのラミネート用紙にかかり、特に別体のカードと共に用いることにより、当該カードの可変情報等印刷時の台紙となると共に、カードの表裏両面をラミネートすることができるラミネート用紙に関するものである。また、本考案は、上記のラミネート用紙とＲＦＩＤカードからなる一対の両面ラミネートＲＦＩＤカード作成用具にかかるものである。
【背景技術】
【０００２】
ラミネートカードを作成するための用紙として、従来、台紙、ラミネートフィルム、剥離台紙、カード基材をこの順に積層して一体化したラミネートカード作成用台紙が知られている。（例えば、特許文献１参照）。
【０００３】
また、従来より、剥離台紙に切り抜き線により区画された粘着剤付きラミネートフィルムが仮着されたラミネートフィルム用紙が知られている。
【特許文献１】特開２００５−１４２６７号公報
【考案の開示】
【考案が解決しようとする課題】
【０００４】
近年ＲＦＩＤの使用が広まっている。ＲＦＩＤは、ＩＣタグ、ＲＦタグ、無線タグ、電子タグなどとも呼ばれるもので、これを取り付けられた物やこれを保持する人などと、その物や人に関する情報を一体化させるなどの目的で使用される。ＲＦＩＤカードにあっても、カードに可変情報等を印字可能とすれば、特にＲＦＩＤカードを少量作成する場合にカード１枚あたりの作成費用を低く抑えることができる。
【０００５】
ＲＦＩＤカードは、通常１枚のカード台紙にＲＦＩＤのインレイを貼り付けて、あるいは２枚のカード台紙の間にＲＦＩＤのインレイを挟み込んで製造される。インレイとはＰＥＴなどの基材フィルム上にアンテナとアンテナに連結されたＩＣチップが固定されたＲＦＩＤの回路単位をいう。
【０００６】
ＲＦＩＤカードを両面ラミネートするに関して、従来のカード基材、ラミネートフィルム等を積層して一体化したラミネートカード作成用台紙のカード基材を、ＲＦＩＤカードに置換することは、作業工程の増加、電気部品であるインレイの取り扱い等より得策ではない。また、ＲＦＩＤカードは通常、一般事務用、家庭用のプリンターの通紙下限を下回る大きさであり、これらを用いてＲＦＩＤカードに可変情報等を印刷するには、通紙の補助となる印刷台紙が必要となる。
【０００７】
一方、従来のラミネートフィルム用紙を使用して、粘着剤が塗布されたラミネートフィルムを、カード上に、皺なく、正しい位置に貼り付けるのは熟練と精神集中を必要とする作業である。
【０００８】
そこで、本考案は、別体として供給されるカードに関して、当該カードの両面をラミネートするに好適なラミネート用紙を得ることを課題とする。
本考案の他の課題は、カードに可変情報等を印刷する場合の補助となる印刷台紙に兼用可能なラミネート用紙を得ることにある。
本考案の他の課題は、ラミネートフィルムを皺なく、正しい位置に容易に貼り付けることのできるラミネート用紙を得ることにある。
【０００９】
本考案の他の課題は、上述の課題を解決するラミネート用紙とＲＦＩＤカードの一対からなる両面ラミネートＲＦＩＤカード作成用具を得ることにある。
【００１０】
本考案のその他の課題は、以下の本考案の説明より明らかになる。
【課題を解決するための手段】
【００１１】
上記の課題を解決するため、本考案の一の態様にかかるラミネート用紙は、両面ラミネートカード作成用のラミネート用紙において、台紙の上に仮着手段によりラミネートフィルムが積層され、前記ラミネートフィルムの上に粘着剤層を介して剥離紙が積層された積層用紙に、前記積層用紙の前記台紙、前記ラミネートフィルム及び前記剥離紙を貫通する破線状の直線である折り曲げ線と、前記剥離紙上面から前記ラミネートフィルム下面まで切り込まれた第１切り込み線に囲まれたカード表面ラミネート領域と、前記剥離紙上面から前記ラミネートフィルム下面まで切り込まれた第２切り込み線に囲まれたカード裏面ラミネート領域を有し、前記カード表面ラミネート領域と前記カード裏面ラミネート領域は、前記折り曲げ線を対称軸とする線対称な平面形状であることを特徴とする。
【００１２】
本考案の好ましい実施態様にかかるラミネート用紙は、前記のラミネート用紙において、前記台紙と前記ラミネートフィルムの仮着手段が、擬似接着であってもよい。
【００１３】
本考案の好ましい実施態様にかかるラミネート用紙は、前記のラミネート用紙が、Ａ６版サイズ以上、Ａ４版サイズ以下であってもよい。
【００１４】
本考案の一の態様にかかる一対の両面ラミネートＲＦＩＤカード作成用具は、ラミネート用紙とＲＦＩＤカードからなる一対の両面ラミネートＲＦＩＤカード作成用具において、前記ラミネート用紙は本考案にかかるラミネート用紙であり、前記ＲＦＩＤカードはカード台紙とＲＦＩＤのインレイからなり、前記カード台紙の表面はインク受容可能であり、前記カード台紙の裏面に前記ＲＦＩＤのインレイが貼り付けられていて、前記ＲＦＩＤカードは前記カード表面ラミネート領域に包含される大きさであることを特徴とする。
【００１５】
本考案の好ましい実施態様にかかる一対の両面ラミネートＲＦＩＤカード作成用具は、前記の一対の両面ラミネートＲＦＩＤカード作成用具において、前記ＲＦＩＤカードは前記ラミネート用紙の前記カード表面ラミネート領域と同一の大きさであってもよい。
【００１６】
以上説明した、本考案の態様、好ましい実施態様、これらの構成要素は可能な限り組み合わせて実施することができる。
【考案の効果】
【００１７】
本考案にかかるラミネート用紙は、別体として供給されるカードに関して、当該カードの両面をラミネートするのに好適であり、手軽に、容易にラミネート作業を行うことができる。当該ラミネート用紙は、カードにラミネートを行う一連の操作中の段階、すなわち、ラミネート用紙にカードを貼り付けた状態で、そのまま、一般事務用、家庭用のプリンターに通紙可能となる。また、当該ラミネート用紙は、折り曲げ線を対称軸とする線対称な平面形状であるカード表面ラミネート領域とカード裏面ラミネート領域の２つの面に、ラミネートフィルムの粘着剤面が露出するので、カードの両面に、ラミネートフィルムを皺なく、正しい位置に、容易に貼り付けることができる。また、ラミネートフィルムの輪郭線は、第１切り込み線と第２切り込み線により予め切断されているので、カードに付されたラミネートフィルムの輪郭線が美麗である。
【００１８】
本考案の好ましい実施態様にかかるラミネート用紙は、台紙とラミネートフィルムが擬似接着により仮着されているので、ラミネート用紙の厚さが薄くなり、カードを貼り付けた状態でのプリンターの通紙がよりスムーズになり、また、ラミネート用紙作成時の加工工程と費用を抑制することができる。
【００１９】
本考案の他の好ましい実施態様にかかるラミネート用紙は、一般事務用、家庭用のプリンターの通紙可能な大きさに適合するので、カードに可変情報等を印刷するプリンターの選択の幅が広がる効果がある。
【００２０】
本考案にかかるラミネート用紙とＲＦＩＤカードの一対からなる両面ラミネートＲＦＩＤカード作成用具は、少なくとも片面に可変情報等を印刷し、両面にラミネートしたＲＦＩＤカードを作成するのに好適である。特に、少量の両面ラミネートＲＦＩＤカード作成にあたり、カード一枚あたりの費用低減が図れる。さらに、当該両面ラミネートＲＦＩＤカード作成用具は、上述した本考案にかかるラミネート用紙と同様な効果を有する。
【００２１】
本考案の他の好ましい実施態様にかかるラミネート用紙とＲＦＩＤカードの一対からなる両面ラミネートＲＦＩＤカード作成用具は、ＲＦＩＤカードを覆うラミネートフィルムが、ＲＦＩＤカードの輪郭線からはみ出すことがなく、美麗な両面ラミネートＲＦＩＤカードを得ることができる効果がある。
【考案を実施するための最良の形態】
【００２２】
以下、図面に基づき、本考案にかかるラミネート用紙、ラミネート用紙とＲＦＩＤカードの一対からなる両面ラミネートＲＦＩＤカード作成用具をさらに詳細に説明する。この考案の実施例に記載されている部材や部分の寸法、材質、形状、その相対位置などは、とくに特定的な記載のない限りは、この考案の範囲をそれらのみに限定する趣旨のものではなく、単なる説明例にすぎない。
【００２３】
図１（ａ）はラミネート用紙１１の平面説明図であり、図１（ｂ）はラミネート用紙１１のＡ−Ａ’線の断面説明図である。
【００２４】
ラミネート用紙１１は、台紙１２とラミネートフィルム１４と剥離紙１６が積層されて構成されている。本実施例ではラミネートフィルム１４は、厚さ２５μｍのポリエチレンテレフタレート（ＰＥＴ）フィルムである。台紙１２はＰＥＴフィルムであり、台紙１２とラミネートフィルム１４は仮着手段である擬似接着層１３により仮着されている。台紙に疑似接着により仮着されたポリエチレンテレフタレートフィルムであるラミネートフィルムは、例えば、台紙の上に、溶融したポリエチレンテレフタレートを押し出してフィルムとすることにより得られる。台紙１２は、紙、ポリエチレン、ポリプロピレン等の合成樹脂フィルムであってもよい。また、仮着手段は粘着剤であってもよい。
【００２５】
ラミネートフィルム１４は、粘着剤層１５により剥離紙１６に積層・仮着されている。剥離紙１６は例えば、上質紙である剥離台紙１７の一方表面にシリコン樹脂塗布等により離型加工をして、離型加工層１８を形成したものである。
【００２６】
ラミネート用紙１１は、破線状の直線である折り曲げ線２０により２つの部分に区分されている。折り曲げ線２０の破線状には、切断長さと非切断長さが等しい破線、切断長さと非切断長さが異なる破線、一点鎖線、二点鎖線等を含む。折り曲げ線２０の切断部分は、台紙１２、ラミネートフィルム１４及び剥離紙１６を貫通している。
【００２７】
折り曲げ線２０により区分された１の部分には、第１切り込み線２１に囲まれたカード表面ラミネート領域２３が形成されている。折り曲げ線２０により区分された他の部分には、第２切り込み線２２に囲まれたカード裏面ラミネート領域２４が形成されている。第１切り込み線２１と第２切り込み線２２は剥離紙１６の上面からラミネートフィルム１４の下面までが切り込まれている。カード表面ラミネート領域２３の平面形状とカード裏面ラミネート領域２４の平面形状は、折り曲げ線２０を対称軸とする線対称である。
【００２８】
ラミネート用紙１１はＡ６版の大きさであり、一枚のラミネート用紙１１上に、概略名刺サイズのカード表面ラミネート領域２３とカード裏面ラミネート領域２４を配置でき、かつ、一般事務用、家庭用のプリンターに通紙可能である。
【００２９】
次にラミネート用紙１１を用いて、カード（本実施例ではＲＦＩＤカード）の両面にラミネートを行う操作方法を説明する。
【００３０】
図２（ａ）はラミネート用紙１１にＲＦＩＤカード３１を貼り付ける操作の断面説明図であり、図２（ｂ）は印刷前のＲＦＩＤカード／ラミネート用紙一体物の平面説明図である。図３（ａ）は印刷後のＲＦＩＤカード／ラミネート用紙一体物の平面説明図であり、図３（ｂ）は印刷後のＲＦＩＤカード／ラミネート用紙一体物の折り曲げ操作を説明する断面図である。図４は、折り曲げ後のＲＦＩＤカード／ラミネート用紙一体物の断面説明図である。図５は、両面ラミネートされたＲＦＩＤカード３７の断面説明図である。
【００３１】
図２を参照して、まず、ＲＦＩＤカード３１を準備しておく。ＲＦＩＤカード３１はカード台紙３２の裏面３４にインレイ３５を貼り付けたものである。インレイ３５は、樹脂フィルム（厚さ３８μｍのＰＥＴフィルム）上に接着剤を塗布し、アルミニウムを含むインキを用いてスクリーン印刷により渦巻き状のアンテナを形成する。さらに当該アンテナにＩＣチップを導電的に接続・固定したものである。インレイ３５は、上記基本的構成に、さらに片面及び／又は両面に、合成紙、ＥＶＡ、ＰＥＴシートなどが積層されていてもよい。
【００３２】
インレイ３５はその他の材料、製造方法などで製造されたものでもよい。例えば、樹脂フィルムは、ポリイミドフィルム、ＰＢＴフィルムであってもよい。樹脂フィルムの厚さに特に制限はないが、通常１０μｍ〜１００μｍ、好ましくは２０μｍ〜７０μｍである。アンテナの形状は、例えばダイポールアンテナであってもよい。アンテナの材質は例えば、銅であってもよい。銅箔のアンテナは、樹脂フィルムの上に銅箔層を形成し、レジストを用いてエッチングにより形成してもよく、アンテナ形状の銅箔をプレスなどにより樹脂フィルム上に貼り付けてもよい。
【００３３】
カード台紙３２の表面３３はインク受容が可能である。カード台紙３２の材質は、例えば紙、インク受容加工を施した合成樹脂フィルム等である。
【００３４】
次に、矢印５１に示すようにラミネート用紙１１のカード裏面ラミネート領域２４から第２切り込み線２２で囲まれた剥離紙１６を取り除く。この操作によりカード裏面ラミネート領域２４には、粘着剤層１５が露出する。
【００３５】
続いて、矢印５２に示すように、ＲＦＩＤカード３１の裏面を露出している粘着剤層１５を介して、カード裏面ラミネート領域２４のラミネートフィルム１４に貼り付ける。ラミネートフィルム１４は、台紙１２に保持されているので、貼り付け時の皺の発生は抑制される。この操作により、図２（ｂ）に示すＲＦＩＤカード３１とラミネート用紙１１の一体物ができる。当該一体物は、プリンターを使用してカード台紙表面３３に文字・図形・絵等の可変情報等を印刷することができる。使用するプリンターは適宜の方式のものを選択、使用できるが、ＲＦＩＤカード３１ひいてはインレイ３５に過大な曲部的圧力や過大な曲げ圧力を与えない観点から、インクジェット方式のプリンターが好ましい。
【００３６】
こうして図３（ａ）に示すようにＲＦＩＤカード３１に可変情報等が印刷されたＲＦＩＤカード３１とラミネート用紙１１の一体物が得られる。ＲＦＩＤカード３１の表面には、文字３６が印字されている。なお、ＲＦＩＤカード３１に印刷を施すことなく、あるいは手書きで可変情報等を筆記して、次の操作に進んでもよい。
【００３７】
次に図３（ｂ）の矢印５４に示すように、ラミネート用紙１１のカード表面ラミネート領域２３から、第１切り込み線２１で囲まれた剥離紙１６を取り除く。この操作によりカード表面ラミネート領域２３に、粘着剤層１５が露出する。そして矢印５５に示すように、ラミネート用紙１１を折り曲げ線２０で折り曲げる。
【００３８】
図４に示すように、ＲＦＩＤカードの表面に粘着剤層１５を介して、カード表面ラミネート領域２３のラミネートフィルム１４が貼り付けられる。カード表面ラミネート領域２３の平面形状とカード裏面ラミネート領域２４の平面形状は、折り曲げ線２０を対称軸として線対称であるため、ラミネートフィルムはカード表面の正しい位置に困難なく貼り付けられる。また、ラミネートフィルム１４は、まだ台紙１２に保持されており、貼り付け時に皺になることもない。
【００３９】
最後に上下両面の台紙１２を、台紙１２とラミネートフィルム１４間の仮着手段である擬似接着をはずすことにより取り除き、両面にラミネートされたＲＦＩＤカード３７を得る。
【００４０】
なお、カード表面ラミネート領域２３とカード裏面ラミネート領域２４は、本考案の説明の容易化のために区別して名付けたものであり、どちらか一方に、カードの表面を貼り付ければよい。
【００４１】
以上のような実施例の他、本考案のラミネート用紙と一対の両面ラミネートＲＦＩＤカード作成用具の形状や具体的構成は適宜変更することが可能である。例えば、１本の折り曲げ線をはさんで、２対以上のカード表面ラミネート領域とカード裏面ラミネート領域を形成してもよい。第１切り込み線、第２切り込み線の一部をラミネート用紙の輪郭線と一致させてもよい。
【００４２】
本考案にかかるラミネート用紙は、ＲＦＩＤカードの両面ラミネートに好適であるが、ＩＣカード、名刺、その他のカードの両面ラミネートに用いることもできる。
【産業上の利用可能性】
【００４３】
本考案にかかるラミネート用紙は、別体のカードの表裏両面をラミネートした、両面ラミネートカードの作成に使用することができる。また、本考案にかかる一対の両面ラミネートＲＦＩＤカード作成用具は、両面ラミネートしたＲＦＩＤカードの作成に使用することができる。
【図面の簡単な説明】
【００４４】
【図１】（ａ）はラミネート用紙１１の平面説明図であり、（ｂ）はラミネート用紙１１のＡ−Ａ´線の断面説明図である。
【図２】（ａ）はラミネート用紙１１にＲＦＩＤカード３１を貼り付ける操作の断面説明図であり、（ｂ）は印刷前のＲＦＩＤカード／ラミネート用紙一体物の平面説明図である。
【図３】（ａ）は印刷後のＲＦＩＤカード／ラミネート用紙一体物の平面説明図であり、（ｂ）は印刷後のＲＦＩＤカード／ラミネート用紙一体物の折り曲げ操作を説明する断面図である。
【図４】折り曲げ後のＲＦＩＤカード／ラミネート用紙一体物の断面説明図である。
【図５】両面ラミネートされたＲＦＩＤカード３７の断面説明図である。
【符号の説明】
【００４５】
１１    ラミネート用紙
１２    台紙
１３    仮着手段である擬似接着層
１４    ラミネートフィルム
１５    粘着剤層
１６    剥離紙
１７    剥離台紙
１８    離型加工層
【００４６】
２０    折り曲げ線
２１    第１切り込み線
２２    第２切り込み線
２３    カード表面ラミネート領域
２４    カード裏面ラミネート領域
３１    ＲＦＩＤカード
３２    カード台紙
３３    カード台紙の表面
３４    カード台紙の裏面
３５    インレイ
３６    文字
３７    両面ラミネートされたＲＦＩＤカード
【図１】
0003116666.tif 000003
【図２】
0003116666.tif 000004
【図３】
0003116666.tif 000005
【図４】
0003116666.tif 000006
【図５】
0003116666.tif 000007